(57)【要約】      （修正有）【課題】バンドの構成要素部材を溶接で組み合わせる必要がなく、部材の形状を簡単にし、しかも材料の利用効率を高くすることができ、外駒と中駒の結合強度が高く、かつ組立が容易なバンドの連結構造を提供する。【解決手段】外駒２と、外駒２とは別体の中駒３とを有し、外駒２と中駒３とをピン５を挿通することによって連結するバンドであって、外駒２と中駒３には、互いに係合する嵌合部が形成され、外駒２の嵌合部と中駒３の嵌合部は、前記ピン５が挿通されていないとき中駒３を基準として外駒２に第１の方向（バンドの厚さ方向）の力が加わると嵌合部の係合が外れ、外駒２に第１の方向とは異なる第２の方向の力が加わっても嵌合部の係合が外れない形状に互いに形成され、外駒２と中駒３には、嵌合部が互いに係合した状態で、連結ピンを第２の方向に挿入するピン挿通孔を形成した。【選択図】図１
2015009038.tif 000002
【特許請求の範囲】
【請求項１】
外駒と、該外駒とは別体の中駒とを有し、前記外駒と前記中駒とをピンを挿通することによって連結するバンドであって、
前記外駒と前記中駒には、互いに係合する嵌合部が形成され、
前記外駒の嵌合部と前記中駒の嵌合部は、前記ピンを挿通しないとき、前記中駒を基準として前記外駒に第１の方向の力が加わると前記嵌合部の係合が外れ、前記外駒に前記第１の方向とは異なる第２の方向の力が加わっても前記嵌合部の係合が外れない形状に互いに形成され、
前記外駒と前記中駒には、前記嵌合部が互いに係合した状態で、前記連結ピンを前記第２の方向に挿入するピン挿通孔を形成したことを特徴とするバンドの連結構造。
【請求項２】
前記外駒と前記中駒の嵌合部は、一方が前記バンドの幅方向に突出する凸形状部であり、他方が前記バンドの幅方向に凹んだ凹形状部であり、
前記凸形状部は、前記突出する方向を軸方向とした円柱の側面の一部を構成する形状であり、該形状に対応する形状に前記凹形状部は形成されていることを特徴とする請求項１に記載のバンドの連結構造。
【請求項３】
前記ピン挿通孔の位置を、前記円柱の中心軸の位置とは異ならせたことを特徴とする請求項２に記載のバンドの連結構造。
【請求項４】
前記円柱の側面の一部を構成する形状は、前記凸形状部の根元側に位置する小径部と、前記凸形状部の先端側に位置する大径部とを有することを特徴とする請求項２又は３に記載のバンドの連結構造。
【請求項５】
前記外駒の嵌合部が前記凸形状部であり、前記中駒の嵌合部が前記凹形状部であることを特徴とする請求項２〜４のいずれか１項に記載のバンドの連結構造。
【請求項６】
前記ピン挿通孔を、前記外駒の嵌合部と前記中駒の嵌合部とを貫通する位置に形成したことを特徴とする請求項５に記載のバンド連結構造。
【請求項７】
前記外駒の嵌合部が前記凹形状部であり、前記中駒の嵌合部が前記凸形状部であることを特徴とする請求項２〜４のいずれか１項に記載のバンドの連結構造。
【請求項８】
前記第１の方向は前記バンドの厚さ方向であり、
前記第２の方向は前記バンドの幅方向であることを特徴とする請求項１〜７のいずれか１項に記載のバンドの連結構造。
【発明の詳細な説明】
【技術分野】
【０００１】
本発明は、腕時計等腕巻き式の機械装置や装身具に用いられるのに適したバンドを構成する駒の連結構造に関する。
【背景技術】
【０００２】
下記特許文献１には、金属製の駒をピンで連結するバンドの実施例を記載している。
【先行技術文献】
【特許文献】
【０００３】
【特許文献１】特許第３８７３１４７号公報（第３頁、図１）  特許文献１に記載された従来例の構造を説明する。
【０００４】
特許文献１の図１等において、バンドの駒は、平面形状が矩形の中駒（それぞれバンドの幅方向に貫通する２本のピン孔を有する）をバンドの長手方向に配列し、それら中駒のバンド幅方向の両外側に平面形状の幅が狭い矩形をなす外駒（やはり２本ずつのピン孔を有する）を、バンドの長手方向にずらして配列している。そして、各中駒に２本の連結ピンを挿通し、中駒の両側に突出したピンの各端部を外駒のピン孔に挿入して挿入部を外駒に溶接することによって、各中駒と外駒をバンドの長手方向に連結している。なお、特許文献１には、他のバンドの連結構造も記載されているが、説明を省略する。
【０００５】
他の従来例を図９に示す。図９は他の従来例のバンドの１単位となる駒部材の分解斜視図である。この斜視図で視認される上面はバンドの表側の面（バンドが巻かれる腕の表面から遠い方の面）としてある。中駒３はバンドの幅の中央に、バンドの長手方向に並べられるべき部材である。外駒２は中駒３の両側を挟んで２列になって配置されるべきものである。２個１組の外駒２は、中駒３を収容する間隔を保つように桟４を設けて一体的に結合されている。これらは例えばチタンやステンレス等の金属材料より成る。なお桟４は中駒３の両側に離れた外駒同士を所定の間隔を保って十分な強度で結合する部材である。
【０００６】
ピン５は金属製で、外駒２と中駒３を、バンドを腕に巻くことができるよう、ある角度範囲で相互に回転可能に連結するもので、バンドの幅（２つの外駒２の外端）にほぼ等しい全長を有する。外駒２にはピン挿通孔２２と２３が、中駒３にはピン挿通孔３２と３３が、それぞれバンドの幅方向に設けられている。
【０００７】
Ｃリング６は、軸方向にスリットを入れた短いパイプ状の金属部材であって、ピン５の外径より僅かに小さい内径を有し、これに挿通したピン５の任意の位置に摩擦力を伴って弾着する。中駒３のピン挿通孔３２、３３の入口付近はＣリング６をちょうど収容できるような深さとやや太い内径を有する段付孔になっており、孔の残部はピン５と遊合する内径である。また外駒２のピン挿通孔２２、２３の内径はピン５と遊合する大きさである。
【０００８】
全ての中駒３のピン挿通孔３２の段付孔にＣリング６を装着した後、中駒３の両外側に外駒２を、ピン挿通孔２２と３２が合うように配置し、両孔にピン５をバンド幅一杯になるよう深く挿通する。Ｃリング６は外駒２の内側面と中駒３の段付孔の段部によって位置決めされ、ピン５とＣリング６とは摩擦によって位置決めされるので、ピン５がバンドから抜け出ることはない。同様にして、この外駒２のピン挿入孔２３に、他の中駒３の挿通孔３３が合うように他の中駒３を配置し、ピン５とＣリング６により結合する。これらの結合を順次行ってゆき、一連の長いバンドを形成する。
【発明の概要】
【発明が解決しようとする課題】
【０００９】
特許文献１の従来例は、ピン（３０）の両端部は外駒（２０）のピン穴（２１）に挿入される部分で外駒と溶接されることによって必要な固着強度を得ている。その溶接の強度を得るため、ピンの表面には金メッキが施される。その一方では、ピンは中駒（１０）のピン穴（１１）内面と固着されてはならないため、中駒のピン穴（１１）の内部ではピン（３０）に長いパイプ（４０）を被せることで溶着を防いでいる（なお特許文献１の段落〔００１４〕、〔００１５〕参照）。
【００１０】
このような構成では、溶接コストがかかるし、また溶接部に溶接痕が残り、装飾品としての品質を維持し難い欠陥があった。また、特許文献１の従来例のように、バンドの幅方向に離れた外駒がピンの先端部のみで固着結合された構造では、バンドにねじる力を加えると固着がはずれて分離し易いという欠点がある。
【００１１】
図面〔図９〕に示した従来例では、桟４で連結した外駒２を用いる。このようなＨ駒の中棒になる部材や桟４は、外駒とは別体で作って外駒と溶接（電気、レーザー、加熱等による）することも可能であるが、やはり美観を損なう溶接痕を除去する後工程の作業を必要としたり、特許文献１の従来例のように外駒と桟４とが分離しやすいという欠点がある。これらの問題を避けるため、図９に示した従来例においては、両外駒を含めて１塊となっている部材から桟４の部分を残すような加工（例えばフライスによる切削加工やプレス加工）を行って形成するのが通常の手段であるが、材料の無駄と加工に要する工数が問題であった。
【００１２】
本発明においては、外駒と中駒とを結合する機構を導入することによって、バンドの構成要素部材を溶接で組み合わせる必要がなく、部材の形状を簡単にし、しかも材料の利用効率を高くすることができ、外駒と中駒の結合強度が高く、かつ組立が容易なバンドの連結構造を提供することを目的とする。
【課題を解決するための手段】
【００１３】
外駒と、該外駒とは別体の中駒とを有し、前記外駒と前記中駒とをピンを挿通することによって連結するバンドであって、前記外駒と前記中駒には、互いに係合する嵌合部が形成され、前記外駒の嵌合部と前記中駒の嵌合部は、前記ピンを挿通しないとき、前記中駒を基準として前記外駒に第１の方向の力が加わると前記嵌合部の係合が外れ、前記外駒に前記第１の方向とは異なる第２の方向の力が加わっても前記嵌合部の係合が外れない形状に互いに形成され、前記外駒と前記中駒には、前記嵌合部が互いに係合した状態で、前記連結ピンを前記第２の方向に挿入するピン挿通孔を形成したことを特徴とする。
【００１４】
このように構成することにより、外駒同士を連結する必要がないので溶接も不要で材料の利用効率が高く、また外駒と中駒は機械的に結合されるので組立や分離が容易である。
【００１５】
前記外駒と前記中駒の嵌合部は、一方が前記バンドの幅方向に突出する凸形状部であり、他方が前記バンドの幅方向に凹んだ凹形状部であり、
前記凸形状部は、前記突出する方向を軸方向とした円柱の側面の一部を構成する形状であり、該形状に対応する形状に前記凹形状部は形成されていることを特徴とする。
【００１６】
このように構成することにより、嵌合部を自動旋盤加工で形成することができる。
【００１７】
前記ピン挿通孔の位置を、前記円柱の中心軸の位置とは異ならせたことを特徴とする。
【００１８】
このように構成することにより、ピンをバンドの厚さのほぼ中央に配置すると共に、外
駒と中駒の不要な回動を抑制することが容易となる。
【００１９】
前記円柱の側面の一部を構成する形状は、前記凸形状部の根元側に位置する小径部と、前記凸形状部の先端側に位置する大径部とを有することを特徴とする。
【００２０】
このように構成することにより、嵌合部の形状を更に旋削加工に適合させることができる。
【００２１】
前記外駒の嵌合部が前記凸形状部であり、前記中駒の嵌合部が前記凹形状部であることを特徴とする。
【００２２】
このように構成することにより、外駒の強度を確保することが容易となる。
【００２３】
前記ピン挿通孔を、前記外駒の嵌合部と前記中駒の嵌合部とを貫通する位置に形成したことを特徴とする。
【００２４】
このように構成することにより、ピン挿通孔の配置スペースを効果的に抑えることができる。
【００２５】
前記外駒の嵌合部が前記凹形状部であり、前記中駒の嵌合部が前記凸形状部であることを特徴とする。
【００２６】
このような構成によっても、本発明の主要な効果を得ることができる。
【００２７】
前記第１の方向は前記バンドの厚さ方向であり、前記第２の方向は前記バンドの幅方向であることを特徴とする。
【００２８】
このように構成することにより、外駒と中駒の着脱を、最も容易になる方向で行うことができる。
【発明の効果】
【００２９】
本発明によって、バンドの構成要素部材を溶接で組み合わせる必要がなく、また部材の形状を簡単にし、しかも材料の利用効率を高くすることができ、外駒と中駒とが強固に結合され、かつ組立も容易なバンドの連結構造を提供することができる。
【図面の簡単な説明】
【００３０】
【図１】実施例１のバンドの１単位となる駒部材の分解斜視図である。
【図２】（ａ）は実施例１の要部を拡大した斜視図、（ｂ）は実施例１の要部断面図である。
【図３】実施例１のバンドの組立斜視図で、（ａ）は表側、（ｂ）は裏側を示す。
【図４】（ａ）、（ｂ）は、嵌合部の形状の異なる例の概念図である。
【図５】実施例２のバンドの１単位となる駒部材の分解斜視図である。
【図６】実施例２のバンドの組立斜視図である。
【図７】変形例１における、（ａ）は外駒の平面図，（ｂ）は外駒の側面図、（ｃ）は中駒の平面図、（ｄ）は中駒の側面図である。
【図８】変形例２における、外駒と中駒の側面図である。
【図９】従来例のバンドの単位となる駒部材の分解斜視図である。
【発明を実施するための形態】
【００３１】
以下に実施例１と実施例２によって本発明の実施の形態を説明する。
【実施例１】
【００３２】
図１は実施例１のバンドの１単位となる駒部材を分離した状態で示した、結合前の分解斜視図、図２（ａ）は実施例１の要部を拡大した斜視図、図２（ｂ）は実施例１の要部断面図である。
【００３３】
中駒３はバンドの幅の中央に、バンドの長手方向に沿って並べられる部材であり、その１個を示した。外駒２は２個１組であって、中駒３の両側を挟むように２列になって配置される部材で、その１組を示した。これらの部材は例えばチタンやステンレス等の金属材料より成る。なおこの斜視図で視認される上面はバンドの裏面側（バンドが巻かれる腕の表面に接する面）としてある。また図の左右方向をほぼバンドの幅方向としている。
【００３４】
ピン５は金属製で、互いに半ピッチ程度ずつずらしてバンドの長手方向に配列される外駒２の組と中駒３とを連結する部材であり、通常はバンドの幅（２つの外駒２の外端）とほぼ等しい長さを有する。外駒２にはピン挿通孔２２と２３が、中駒３にはピン挿通孔３２と３３が、それぞれバンドの幅方向に設けられている。ピン挿通孔２２と３２に挿通されるピン５は図示した外駒２と中駒３を結合し、ピン挿通孔２３に挿通されるピン５はその外駒２と図示の中駒３に隣り合う中駒（図示せず）とを連結し、ピン挿通孔３３に挿通されるピン５はその中駒３と図示の外駒２に隣り合う外駒（図示せず）を連結する。
【００３５】
Ｃリング６は、軸方向にスリットを入れた短いパイプ状の金属部材であって、ピン５の外径より僅かに小さい内径を有し、これに挿通したピン５の任意の位置に摩擦力を伴って弾着する。中駒３のピン挿通孔３２、３３の入口付近はＣリング６をちょうど収容できるような深さとやや太い内径を有する段付孔になっており、孔の残部はピン５と遊合する内径である。また外駒２のピン挿通孔２２、２３の内径はピン５と遊合又は静合する寸法であることが好ましい。ピン５とＣリング６は、バンドの１単位となる駒部材について実際には２組ずつを必要とする。
【００３６】
図２（ｂ）は、中駒３、外駒２、ピン５、Ｃリング６の要部断面図である。この図は、中駒３の挿通孔３２を通り、挿通孔３２の軸方向及びバンドの幅方向に平行な面におけるそれぞれの部品の断面を示している。なお、ピン５とＣリング６は、中駒３及び外駒２の外側に図示している。図２（ｂ）に示すように、３２ａが段付孔であり、３２ｂが挿通孔３２の残部である。段付孔３２ａの部分にＣリング６が収容され、挿通孔２２と挿通孔３２にピン５が挿通される。
【００３７】
全ての中駒３のピン挿通孔３２の段付孔にＣリング６を装着した後、中駒３の両外側に外駒２を、ピン挿通孔２２と３２が合うように配置し、両孔にピン５をバンド幅一杯になるよう深く挿通する。Ｃリング６は外駒２の内側面と中駒３の段付孔の段部によって位置決めされ、ピン５とＣリング６とは摩擦によって位置決めされるので、ピン５がバンドから抜け出ることはない。同様にして、中駒３のピン挿通孔３３と隣の外駒のピン挿入孔２３ともピン５とＣリングによる結合を順次行ってゆき、一連の長いバンドを形成する。なおピン５及びＣリング６の形状と作用は図９に示した従来例とほぼ同等である。
【００３８】
外駒２は、その側面から中駒３に向かってバンドの幅方向に突出する凸形状部をなす外駒の嵌合部２１を有する。外駒の嵌合部２１は短い円柱をその軸方向に半分にした概形を有し、バンドの裏面側が平面、バンドの表面側が円柱面をなす。更にその円柱面は、バンドの幅方向に設定した軸を共通にした段付形状をなしており、嵌合部２１の根元側に小径部２１１、先端側に大径部２１２が形成されている。
【００３９】
中駒３の２つの側面には、それぞれバンドの幅方向に凹んだ凹形状部をなす、中駒の嵌合部３１を有する。中駒の嵌合部３１はバンドの裏面側が開いた凹状の半円柱面であり、円柱軸はバンドの幅方向である。更にこの半円柱面は共軸の段付円柱面であり、中駒３の側面側が小径部３１１、奥側が大径部３１２をなしている。
【００４０】
一方、外駒２の嵌合部２１と中駒３の嵌合部３１との大体の位置を合わせて外駒２の側面と中駒３の側面とを接触させ、外駒２を中駒３の裏側から表側に（図１又は図２では上方から下方に）向かって滑らせたとき、外駒２の裏面と中駒３の裏面とが同一面になった位置で外駒の嵌合部２１と中駒の嵌合部３１とは互いに嵌入して係合できるように、それぞれの円柱面の形状寸法及びバンド厚さ方向の位置が設定されている。
【００４１】
即ち、外駒２の嵌合部２１と中駒３の嵌合部３１が係合した状態では、外駒２の小径部２１１に中駒３の小径部３１１が食い込み、外駒２の大径部２１２が中駒３の大径部３１２に食い込んでいる。従ってこの状態では、中駒３に対して相対的に外駒２に、バンドの厚さ方向におけるバンドの表側から裏側に向かう方向（この方向を第１の方向とする）に力を加えることにより、すなわち、中駒３を基準として外駒２に第１の方向の力を加えることにより、係合を容易に解除することができる。これに対し、第１の方向とは垂直な第２又は第３の方向（ここではバンドの幅方向即ちピン５が挿入される方向を第２の方向、バンドの長手方向を第３の方向とする）に動かそうとしても係合を外せず中駒３と分離できないことは明らかである。
【００４２】
外駒２のピン挿入孔２２と中駒３のピン挿入孔３２とは、いずれもそれぞれの嵌合部２１、３１を貫通する位置に設けられている。２つの外駒２と中駒３との係合が達成されると３個のピン挿入孔は同軸となり、ピン５の挿通が可能となるように設定されている。ピン５の挿通により、外駒２と中駒３は、ピン５の軸方向に垂直な第１の方向や第２の方向への移動が規制される。故に１組の外駒２と中駒３は、ピン５の装入前には唯一第１の方向には分離可能であったが、ピン５の挿入によって、第１の方向には動くことができなくなり、他の方向にはもとより動けない。このように３者は相互に固着されるから、本発明においては図９に示した従来例のような桟４などを設けることは不要となる。
【００４３】
外駒２のピン挿入孔２２と中駒のピン挿入孔３２をそれぞれの嵌合部２１、３１を貫通する位置に設けることにより、嵌合部２１、３１以外に設けるピン挿通孔を２３、３３だけにすることができ、ピン挿通孔の配置スペースを効果的に抑えることができる。    
【００４４】
図３は実施例１のバンドの組立斜視図であって、（ａ）はバンドの表側を、（ｂ）はバンドの裏側を主に見せた図を示す。１は連結されたバンドの一部であり、いずれの図も外駒及び中駒の３組分を示している。他の部分とその符号は既に説明したものである。嵌合部２１と３１の係合状態は、（ｂ）図に明瞭に見てとれる。
【００４５】
尚、部品の加工精度によって、図３（ｂ）に示したバンドの裏側に突出する可能性がある部分は、面取りをしても良い。例えば、外駒２において、中駒３と対向する側面と裏面との間に位置する稜線部分や、これに対向する中駒３の稜線部分の面取りをしても良い。また、外駒２を中駒３に組込んだ状態で、外駒２と中駒３との境界部分を研磨しても良い
。
【００４６】
図４（ａ）、（ｂ）は、嵌合部の形状の異なる例の概念図である。図はいずれも、外駒２の嵌合部２１における小径部２１１と大径部２１２、及び、中駒３の嵌合部３１における小径部３１１と大径部３１２の断面形状を示している。これらは、各小径部及び大径部の軸方向（挿通孔２２と挿通孔３２の軸方向）に垂直な方向における任意の部分の断面である。
【００４７】
７は各小径部及び大径部の表面の基本形状であり、外駒のものであるか中駒のものであるかを区別せず概念的に示している。また、小径部と大径部の大きさの相違も省略してある。基本形状７の仮想的全体は実線と点線より成るが、実際の嵌合部は実線部分である。
【００４８】
図１及び図２に示した外駒２の小径部２１１及び大径部２１２は、図４（ａ）の基本形状７のように半円柱の側面に対応した形状であり、前述の通り、大径部２１２は小径部２１１よりも直径が大きい。同様に、中駒３の小径部３１１及び大径部３１２も、図４（ａ）の基本形状７のように半円柱の側面に対応した形状であり、大径部３１２は小径部３１１よりも直径が大きい。
【００４９】
このように、互いに係合する、外駒２の小径部２１１と大径部２１２及び中駒３の小径部３１１と大径部３１２を、円柱の側面の一部を構成する形状（この例では円柱を軸方向に２分した半円柱の側面を構成する形状）で構成すると、嵌合部２１、３１を自動旋盤により容易に加工することができる。すなわち、外駒２を、嵌合部２１における半円柱の円柱軸となる部分を中心にして回転させさがら、大径部２１２や小径部２１１となる部分に刃を当てて半円柱の側面の形状に削る簡単な加工方法で形成することができる。中駒３も同様である。
【００５０】
また、外駒２の小径部２１１及び大径部２１２と中駒３の小径部３１１及び大径部３１２の柱状部を、図４（ｂ）に示すように、異形の柱形状の側面に対応した形状で構成することもできる。この例では、短径方向に２分した半楕円柱の側面に対応した形状である。この他図示しないが、係合可能であれば、この基本形状７は例えばＵ字形（半円弧と３個の直線）や多角形等の楕円中以外の異形の柱状面であってもよい。
【００５１】
８は嵌合部の円柱面の中心軸の位置を示す。また２２、３２は、嵌合部を貫通するピン挿通孔の位置を示している。ピン挿通孔の位置は、このように円柱面の中心軸８と異ならせることによって、バンドの厚さの中ほどにすることができる。また、図４（ａ）の場合において、仮に、ピン挿通孔２２、３２を、円柱の中心軸８と一致する位置に形成した場合は、外駒２と中駒３が、ピン５を軸として相互に回転してしまうが、ピン挿通孔２２、３２の位置を、円柱の中心軸８と異ならせることによって、係合状態では外駒２と中駒３とがピン５を軸として相互に回転する動きを防ぐ。即ち嵌合部の回転ガタを防止することができる。
【００５２】
また、図４（ｂ）のように、外駒２の小径部２１１及び大径部２１２と中駒３の小径部３１１及び大径部３１２を、半楕円柱の側面に対応した異形形状に形成することにより、嵌合部２１と嵌合部３１の係合状態において、外駒２と中駒３とがピン５を軸として相互に回転する動きを防ぎ、回転ガタを防止することもできる。
【００５３】
実施例１では、外駒２の嵌合部２１を凸形状とし、中駒３の嵌合部３２を凹形状としたので、外駒２側に凹形状の嵌合部を形成する場合と比較して、嵌合部の幅方向及び厚さ方向の残肉が部分的に薄くなることがなく、外駒２の強度を確保するのが容易である。
【００５４】
外駒２と中駒３を分離するには、ある外駒２の外側面から細長い工具を用いてピン５の先端を十分深く中駒３の側面まで押し込むことにより、その外駒２が中駒３に対して第１の方向に移動可能となって両者の係合を外すことができる。分離や再係合の操作は極めて容易であってかつ可逆的である。
【００５５】
実施例１の構成により、各外駒と中駒とはピン挿入により強固に結合され、また外駒同士を結合する部材も不要であり、バンドの組立において溶接を用いる必要もなくその後処理もない。またピンの挿通方向には分離しない嵌合部は、凹凸量が比較的少なく単純で加工も容易な形状で構成することができるから、製作に必要な工数も僅かで済む。また、図９に示した従来例のように、両外駒を含めて１塊となっている部材から桟４の部分を残すような加工をする必要がないため、材料の利用率を高くすることができる（例えば図９に示した従来例では材料の利用率が６０％以下程度であるのに対し、本実施例では材料の利用効率が９０％程度である）。さらに、ピンを抜けば外駒と中駒とを簡単に分離できるので、バンドの長さの調整も容易となる。即ち簡単な形状及び構造の部品で製造・組立てのコストを減らし、強度や美観品質を保つことができる。
【実施例２】
【００５６】
図５は実施例２のバンドの１単位となる駒部材を分離した状態でバンドの下面（裏面）側から見た、結合前の分解斜視図である。但しピン５とＣリング６は図示を省略した。実施例１との主な相違点は外駒と中駒の嵌合部の形状の凹凸が逆になっていることである。即ち外駒の嵌合部２１は凹形状、中駒の嵌合部３１は凸形状となっている。両嵌合部は半円柱状であって、バンドの下面側に半円柱の平面部がある。中駒３に対して外駒２をバンドの表方向にずらすと両嵌合部の係合が解除されるので、これが第１の方向（実施例１とは逆向き）となる。
【００５７】
また、外駒２の嵌合部２１は凹部であるから、中駒３の嵌合部３１と対向する底部の残肉が薄くなるので、実施例１のような嵌合部を貫通するピン挿通孔を設けるのは適当ではない。そこで実施例２においては、ピン挿通孔２２は、ピン挿通孔２３と共に嵌合部２１を避けた位置に設けられる。
【００５８】
嵌合部２１、３１が相互に係合を達成するための細部の形状、即ち径小部２１１、３１１、径大部２１２、３１２の形状寸法は、実施例１と凹凸関係が逆である以外は、条件をほぼ同じくするものである。
【００５９】
図６は実施例２のバンドの組立斜視図であって、バンドの裏側を主に見せた図を示す。１は連結されたバンドの一部であり、外駒及び中駒の３組分を示している。他の部分とその符号は既に説明したものである。嵌合部２１と３１の係合状態、及び実施例１との差異は図より明らかである。
【００６０】
実施例２は実施例１と外駒及び中駒の加工方法が若干異なるが、ほとんど同様な作用効果を期待することができる。
＜その他の実施例＞
実施例１及び２の説明では述べなかった、半円柱形（実質的に半円柱形と等価となる異形の場合については図４と共に既述した）以外の形状を有する嵌合部について、実施例のその他の変形例として言及しておく。
【００６１】
図７は、変形例１を示す図であり、（ａ）は外駒の平面図，（ｂ）は外駒の側面図、（ｃ）は中駒の平面図、（ｄ）は中駒の側面図である。
【００６２】
図７（ａ）〜図７（ｄ）において、例えば、外駒２と中駒３を分離するために、中駒３
に対して外駒２を移動させる第１の方向を、バンドの長手方向とすることができる。
【００６３】
外駒２の内側面には、バンドの厚さよりも小さな径を有する頭部２５ａを持つキノコ状（換言すれば釘の頭状）の嵌合部２５を設ける。外駒２と対向する中駒３の側面には嵌合部として異形断面の溝３５をバンドの長手方向に設ける。溝３５は開口幅をキノコ状嵌合部２５の頭部２５ａよりも狭くし、溝３５の底幅をキノコ状嵌合部２５の頭部２５ａよりも広く（バンド厚さよりは小さく）する。
【００６４】
溝３５及び開口部３５ａは、中駒３の側面の長さ方向における両端部まで伸ばし、中駒３の側面全体にレール状に形成する。この溝３５及び開口部３５ａの端部から、キノコ状嵌合部２５の頭部２５ａを挿入し、キノコ状のくびれ部を溝３５の開口部３５ａに嵌め合わせ、バンドの長手方向に沿って移動させて、外駒２側のピン挿通孔２７と中駒３側のピン挿通孔３６とを一致させ、ピン挿通孔２７と３６とにピンを挿通すれば外駒２と中駒３の固定が完成する。そして、外駒２のピン挿通孔２６と隣の中駒３のピン挿通孔３７とにピンを挿通することで、隣の駒と連結することができる。この構成によれば、バンドを表裏いずれ側から見ても中駒３の嵌合部３５は見えず、外観がすっきりする。
【００６５】
また他の変形例を挙げる。図８は、変形例２を示す図である。
【００６６】
外駒２の内側面近くにはバンドの表側からバンドの長手方向に厚さの半ばに達する深さの溝２８を加工し、中駒２の外側面近くにはバンドの裏側からやはりバンドの長手方向に厚さの半ばに達する深さの溝３８を加工しておき、各溝２８，３８の外側にできた薄い立ち上りの縁部２８ａ，３８ａを、互いに相手の溝内に嵌め込むように係合させる構成が考えられる。
【００６７】
この場合も、位置決め後にピンを外駒２のピン挿通孔２９及び中駒３のピン挿通孔３９に挿通することにより外駒２の動きは抑えられ、係合が確保される。（なおこの変形例では、バンドの長手方向も厚さ方向も分離可能な方向となっている。即ち第１の方向が２つできる例となる。）他にも種々変形例があり得るであろう。
【符号の説明】
【００６８】
１  連結されたバンドの一部
２  外駒
３  中駒
４  桟
５  ピン
６  Ｃリング
７  嵌合部の柱状部基本形状
８  嵌合部の柱状部の中心軸
２１  外駒の嵌合部
２１１  外駒の嵌合部の小径部
２１２  外駒の嵌合部の大径部
２２、２３  外駒のピン挿通孔
３１  中駒の嵌合部
３１１  中駒の嵌合部の小径部
３１２  中駒の嵌合部の大径部
３２、３３  中駒のピン挿通孔
【図１】
2015009038.tif 000003
【図２】
2015009038.tif 000004
【図３】
2015009038.tif 000005
【図４】
2015009038.tif 000006
【図５】
2015009038.tif 000007
【図６】
2015009038.tif 000008
【図７】
2015009038.tif 000009
【図８】
2015009038.tif 000010
【図９】
2015009038.tif 000011